(57)【要約】【課題】ＲＣＳが小さいこと。【解決手段】扉１と、扉収納装置３とを具備している。扉１は、複数パネル２−１〜２−ｎから形成され、複数パネル２−１〜２−ｎのうちの隣り合う２つのパネル２−ｉ、２−（ｉ＋１）は、折り畳み可能に連結され、複数パネル２−１〜２−ｎは、水平方向に並べられ、且つ、それぞれの外側表面が同一平面１０を形成して当該艦船用格納庫の出入り口を閉鎖する。同一平面１０は、鉛直方向と非平行である。扉収納装置３は、隣り合う２つのパネルの外側表面または内側表面が互いに対向するように折り畳まれて扉１を当該艦船用格納庫の内側に配置される扉収納スペース２０に格納して出入り口を開放する。【選択図】図１
2004026091.tif 000002
【特許請求の範囲】
【請求項１】
扉と、
扉収納装置とを具備し、
前記扉は、複数パネルから形成され、
前記複数パネルのうちの隣り合う２つのパネルは、折り畳み可能に連結され、
前記複数パネルは、水平方向に並べられ、且つ、それぞれの外側表面が同一平面を形成して当該艦船用格納庫の出入り口を閉鎖し、
前記同一平面は、鉛直方向と非平行であり、
前記扉収納装置は、前記隣り合う２つのパネルの前記外側表面または内側表面が互いに対向するように折り畳まれて前記扉を当該艦船用格納庫の内側に配置される扉収納スペースに格納して前記出入り口を開放する
艦船用格納庫。
【請求項２】
請求項１において、
前記扉収納装置は、
前記出入り口の上端に配置されるガイドレールと、
前記ガイドレールに案内されて走行する複数ローラと、
前記複数ローラと前記複数パネルとをそれぞれに回転可能に支持する球面軸受けとを備える
艦船用格納庫。
【請求項３】
請求項２において、更に、
前記外側表面が前記同一平面に配置されるように前記複数パネルの下端を当該艦船用格納庫の外側に押し出すアーム
を更に具備する艦船用格納庫。
【請求項４】
請求項３において、
前記アームは、
当該艦船用格納庫の格納スペースの床下で支持される第１軸と、
前記第１軸に回転可能に支持される第１アームと、
前記第１アームに回転可能に支持される第２アームと、
前記第１アームを回転させるアクチュエータとを備え、
前記第２アームは、
前記第１アームに対して２位置で変位し、
前記２位置のうちの１位置で前記下端を押し出し、
前記２位置のうちの他の１位置で前記床下に配置される
艦船用格納庫。
【請求項５】
請求項３において、
前記アームは、
当該艦船用格納庫の格納スペースの床下に支持されるアームガイドレールと、
前記アームガイドレールに案内されて前記下端を押し出す押し金具とを備える
艦船用格納庫。
【請求項６】
請求項１〜請求項５のいずれかに記載の艦船用格納庫
を具備する艦船。
【発明の詳細な説明】
【０００１】
【発明の属する技術分野】
本発明は、艦船用格納庫に関し、特に、艦船に設置される艦船用格納庫に関する。
【０００２】
【従来の技術】
艦船に設置されるヘリコプターの格納庫は、ヘリコプターを格納することができる程度に出入り口が大きく開口されている。さらに、艦船は、甲板を広く利用することが望まれ、その出入り口を開閉する艦船用格納庫扉は、開放されているときに、艦船の甲板に突出しないことが望まれている。
【０００３】
図１６は、公知の艦船用格納庫を示している。その艦船用格納庫１００は、シャッター１０１と、シャフト１０２と、シャッター巻き上げ機１０４とを備えている。シャッター巻き上げ機１０４は、ベルト１０３を介して、シャフト１０２を回転させる。シャフト１０２は、回転することにより、シャッター１０１を巻き上げて出入り口を開放し、または、シャッター１０１を下ろして出入り口を閉鎖する。艦船用格納庫１００は、艦船に設置されているレーダまたは艦橋の視界を遮蔽しないように、高さが低いことが好ましく、開口部の上端から屋根までの長さ１０６が小さいことが望まれている。
【０００４】
シャッター１０１は、出入り口を閉鎖しているときに概ね平面を形成し、その平面の法線は、鉛直方向成分を有し、やや上向きに傾いている。このようなシャッター１０１は、照射される電波を壁面が照射源の方向に反射する確率を示す電波反射面積（Ｒａｄａｒ　Ｃｒｏｓｓ　Ｓｅｃｔｉｏｎ。本明細書中では、以下に「ＲＣＳ」と略記される）を低減し、艦船が他の艦船のレーダにより捕捉され難くしている。
【０００５】
図１７は、シャッター１０１を構成する複数のスラットを詳細に示している。その複数のスラット１１１は、それぞれ水平方向に延び、隣り合う他のスラット１１１と回転可能に連結されている。スラット１１１は、出入り口の左右両側に配置されているガイドレールに沿って、平行移動し、出入り口を開閉する。このようなシャッター１０１は、外側に向いている表面が凹凸しており、その分ＲＣＳが大きい。艦船用格納庫は、レーダにより捕捉され難いように、ＲＣＳがさらに小さいことが望まれている。
【０００６】
【発明が解決しようとする課題】
本発明の課題は、ＲＣＳが小さい艦船用格納庫を提供することにある。
本発明の他の課題は、ＲＣＳが小さく、高さが低い艦船用格納庫を提供することにある。
【０００７】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００８】
本発明による艦船用格納庫は、扉（１）と、扉収納装置（３）とを具備している。扉（１）は、複数パネル（２−１〜２−ｎ）から形成され、複数パネル（２−１〜２−ｎ）のうちの隣り合う２つのパネル（２−ｉ、２−（ｉ＋１））は、折り畳み可能に連結され、複数パネル（２−１〜２−ｎ）は、水平方向に並べられ、且つ、それぞれの外側表面が同一平面（１０）を形成して当該艦船用格納庫の出入り口を閉鎖する。同一平面（１０）は、鉛直方向と非平行である。扉収納装置（３）は、隣り合う２つのパネルの外側表面または内側表面が互いに対向するように折り畳まれて扉（１）を当該艦船用格納庫の内側に配置される扉収納スペース（２０）に格納して出入り口を開放することが好ましい。
【０００９】
扉収納装置（３）は、出入り口の上端に配置されるガイドレール（７）と、ガイドレール（７）に案内されて走行する複数ローラ（１１、１２）と、複数ローラ（１１、１２）と複数パネル（２−１〜２−ｎ）とをそれぞれに回転可能に支持する球面軸受け（１４）とを備えていることが好ましい。
【００１０】
本発明による艦船用格納庫は、さらに、外側表面が同一平面（１０）に配置されるように複数パネル（２−１〜２−ｎ）の下端を当該艦船用格納庫の外側に押し出すアーム（２１、３１）を更に具備していることが好ましい。
【００１１】
アーム（３１）は、当該艦船用格納庫の格納スペースの床（２８）の下で支持される軸（３５）と、軸（３５）に回転可能に支持される第１アーム（３６）と、第１アーム（３６）に回転可能に支持される第２アーム（３２−ｉ）と、第１アーム（３６）を回転させるアクチュエータ（３３）とを備えている。第２アーム（３２−ｉ）は、第１アーム（３６）に対して２位置で変位し、２位置のうちの１位置でパネル（２−ｉ）の下端を押し出し、２位置のうちの他の１位置で床（２８）下に配置されることが好ましい。
【００１２】
アーム（２１）は、当該艦船用格納庫の格納スペースの床（２８）の下に支持されるアームガイドレール（２６）と、アームガイドレール（２６）に案内されてパネル（２−ｉ）の下端を押し出す押し金具（２２）とを備えていることが好ましい。
【００１３】
本発明による艦船は、本発明による艦船用格納庫を具備していることが好ましい。
【００１４】
【発明の実施の形態】
図面を参照して、本発明による艦船用格納庫の実施の形態は、扉が扉収納装置とともに設けられている。その扉１は、図１に示されているように、複数のパネル２−１〜２−ｎ（ｎ＝３，４，５，…）から形成されている。扉１は、パネル２−１〜２−ｎが同一の平面１０上に配置されて本発明による艦船用格納庫の出入り口を閉鎖している。このとき、平面１０は、鉛直方向に平行ではなく、少し上を向いている。すなわち、扉１は、上側が下側より内側に配置されている。このような扉１は、ＲＣＳが小さく好ましい。パネル２−ｉ（ｉ＝１，２，３，…，ｎ）は、ヒンジ４を介して隣り合うパネル２−（ｉ＋１）と折り畳み可能に連結されている。
【００１５】
その扉収納装置３は、ガイドレール７、駆動チェーン５、滑車６、駆動源８を備えている。ガイドレール７は、出入り口の上端に設けられている。パネル２−１〜２−ｎは、ガイドレール７に案内されて水平方向に平行移動可能に支持されている。駆動チェーン５は、滑車６によりガイドレール７に沿い配置されて駆動源８に接続されている。駆動チェーン５は、さらに、パネル２−１に接合されている。駆動源８は、駆動チェーン５を双方向に運動させて、パネル２−１〜２−ｎをガイドレール７に沿って水平方向に移動させる。
【００１６】
図２は、ガイドレール７によるパネル２−ｉの支持を詳細に示している。パネル２−ｉは、ガイドローラ１１、１２を、吊り下げブラケット１３、球面軸受け１４を備えている。吊り下げブラケット１３は、ガイドローラ１１、１２と球面軸受け１４とを支持している。球面軸受け１４は、パネル２−ｉを吊り下げブラケット１３に回転可能に、かつ、揺動可能に支持している。ガイドレール７は、第１ガイドレール７−１と第２ガイドレール７−２とを備えている。ガイドローラ１１は、第１ガイドレール７−１に案内されて走行し、パネル２−ｉが落下しないように支持している。ガイドローラ１２は、第２ガイドレール７−２に案内されて走行する。
【００１７】
図３は、パネル２−１〜２−ｎの下部を示している。本発明による艦船用格納庫の格納スペースの床下には、複数のアーム２１が設けられている。アーム２１は、押し出し金具２２とアクチュエータ２３とを備えている。アクチュエータ２３は、押し出し金具２２を平行移動させる。押し出し金具２２は、パネル２−１〜２−ｎの下部を本発明による艦船用格納庫の内側から外側に向かって押し出している。本発明による艦船用格納庫の出入り口の傍には、ケース１９が設置され、収納スペース２０を形成している。
【００１８】
図４は、アーム２１がパネル２−ｉを艦船用格納庫の外側に押し出している状態を示している。格納スペースの床２８には、溝が設けられ、その溝にアームガイドレール２６が支持されている。アーム２１は、ネジジャッキ２４とガイド２５とをさらに備えている。ガイド２５は、アームガイドレール２６により平行移動可能に支持され、アクチュエータ２３により平行移動される。ネジジャッキ２４は、ガイド２５に同体に接合され、押し出し金具２２を床２８の上下に移動可能に支持している。押し出し金具２２は、パッキン２７を備えている。パッキン２７は、出入り口が閉鎖されているときに、パネル２−ｉと床２８との隙間を塞いで、格納スペースを外部から密閉している。
【００１９】
図５は、アーム２１の他の状態を示している。このとき、アーム２１は、押し出し金具２２がガイド２５により図４に示される押し出し金具２２より格納スペースの内側に配置され、さらに、押し出し金具２２がネジジャッキ２４により床２８の下に配置されている。このようなアーム２１は、艦船用格納庫の格納スペースに物品を出し入れすることに邪魔にならないで好ましい。
【００２０】
図６は、出入り口が閉じられているときのパネル２−１〜２−ｎを示している。パネル２−１〜２−ｎのそれぞれの外側の表面は、同一平面を形成している。図７は、パネル２−１〜２−ｎの他の状態を示している。パネル２−１〜２−ｎは、駆動チェーン５により平行移動されて一部（パネル２−ｎ）がケース１９の扉収納スペース２０に配置されている。
【００２１】
図８は、パネル２−１〜２−ｎのさらに他の状態を示している。パネル２−１〜２−ｎは、駆動チェーン５により扉収納スペース２０の側に移動されている。このとき、パネル２−ｉは、隣り合うパネル２−（ｉ＋１）と１つの方向に折り畳まれている。パネル２−ｉは、さらに、反対側に隣り合うパネル２−（ｉ−１）とは、反対の方向に折り畳まれている。すなわち、隣り合う折り返しの向きは、逆向きであり、パネル２−１〜２−ｎは、アコーディオンカーテンのように直線状の山折と谷折とが交互に平行に周期的に配置されている。図９は、パネル２−１〜２−ｎのさらに他の状態を示している。パネル２−１〜２−ｎは、すべてが扉収納スペース２０に配置され、パネル２−ｉは、隣り合うパネル２−（ｉ＋１）と外側表面が対向し、または、内側表面が対向している。
【００２２】
図１０は、アームの実施の他の形態を示している。そのアーム３１は、第１アーム３６とパネル２−１〜２−ｎを艦船用格納庫の外側にそれぞれ押し出す複数の第２アーム３２−１〜３２−ｎを備えている。第２アーム３２−ｉは、パネル２−ｉに接触する部分に、ローラ４１−ｉとツメ４２−ｉとを備えている。ローラ４１−ｉは、第２アーム３２−ｉとパネル２−ｉと摺動により摩耗することを防止している。
【００２３】
図１１は、アーム３１を詳細に示している。格納スペースの床２８に設けられた溝の中には、第１軸３４と第１軸３５とが支持されている。第１軸３４は、アクチュエータ３３を回転可能に支持している。第２軸３５は、第１アーム３６を回転可能に支持している。アクチュエータ３３は、第１アーム３６の一端に接合され、第１アーム３６を回転させることができる。第１アーム３６の他の一端には、第３軸３７−ｉが支持され、ローラ３８が設けられている。第３軸３７−ｉは、第２アーム３２−ｉを回転可能に支持している。第２アーム３２−ｉは、第１アーム３６に対して２位置で変位することができる。図１１は、その２位置のうちの１位置に配置されている第２アーム３２−ｉを示している。このとき、第２アーム３７−ｉのローラ４１−ｉとツメ４２−ｉとは、パネル２−ｉを艦船用格納庫の外側に押し出している。
【００２４】
図１２は、アーム３１の他の状態を示している。第１アーム３６は、アクチュエータ３３により回転され、アーム３１はパネル２−ｉと接触していない。パネル２−１〜２−ｎは、アーム３１が図１２に示される状態で、折り畳まれて収納される。このような艦船用格納庫は、天井１５と屋根１６との距離が扉としてシャッターを用いるときより小さく、高さが低くて好ましい。
【００２５】
図１３は、第２アーム３２−ｉが変位することができる２位置のうち他の１位置に配置されている状態を示している。このとき、第２アーム３２−ｉは、第１アーム３６が図１１示される状態で、床２８の下に配置される。このようなアーム３１は、艦船用格納庫の格納スペースに物品を出し入れすることに邪魔にならないで好ましい。
【００２６】
図１４は、アーム３１が図１２に示される状態からパネル２−ｉを押し出している状態を示している。このとき、パネル２−ｉは、ローラ４１−ｉとツメ４２−ｉとに接触しないで、ローラ３８に接触している。ローラ３８は、第１アーム３６とパネル２−ｉと摺動により摩耗することを防止している。
【００２７】
図１５は、パネル２−ｉの実施の他の形態を示している。パネル２−ｉの下端には、空洞４３が設けられている。空洞４３の中には、パッキン４４とばね４５とが設けられている。ばね４５は、一端が空洞４３の奥に接合され、もう一端がパッキン４４に接合され、パッキン４４が空洞４３の外側に突出しないように付勢している。パネル２−ｉの下端には、さらに、裏側表面と空洞４３とを貫通する切り欠き４６が設けられている。パッキン４４は、アーム３１がパネル２−ｉを外側に押しているときに、ツメ４２−ｉがパッキン４４に引っ掛けて外部に露出させる。このとき、パッキン４４は、パネル２−ｉと床２８との隙間を塞いで、格納スペースを外部から密閉している。
【００２８】
本発明による艦船用格納庫の出入り口を開放するには、まず、アーム２１またはアーム３１を運動させて、パネル２−１〜２−ｎの外側への押し出しを解除する。扉収納装置３は、パネル２−１〜２−ｎに山折と谷折とを交互に配置して扉１をアコーディオンカーテンのように折り畳んで扉収納スペースに収納する。その後、アーム２１またはアーム３１は、床２８から突出しないように、床２８の下の収納される。
【００２９】
本発明による艦船用格納庫の出入り口を閉鎖するには、まず、アーム２１またはアーム３１を運動させて、パネル２−１〜２−ｎの外側への押し出し可能な状態にする。扉収納装置３は、扉１の山折と谷折とを解してパネル２−１〜２−ｎを同一平面上に配置する。その後、アーム２１またはアーム３１は、パネル２−１〜２−ｎを平面１０に重なるように、押し出す。
【００３０】
【発明の効果】
本発明による艦船用格納庫は、ＲＣＳがより小さい。
【図面の簡単な説明】
【図１】図１は、本発明による艦船用格納庫の扉の実施の形態を示す正面図である。
【図２】図２は、ガイドレールを示す断面図である。
【図３】図３は、アームの実施の形態を示す平面図である。
【図４】図４は、アームの実施の形態を示す断面図である。
【図５】図５は、アームの他の状態を示す断面図である。
【図６】図６は、パネルの１状態を示す断面図である。
【図７】図７は、パネルの他の状態を示す断面図である。
【図８】図８は、パネルのさらに他の状態を示す断面図である。
【図９】図９は、パネルのさらに他の状態を示す断面図である。
【図１０】図１０は、アームの実施の他の形態を示す平面図である。
【図１１】図１１は、アームの１状態を示す断面図である。
【図１２】図１２は、アームの他の状態を示す断面図である。
【図１３】図１３は、アームのさらに他の状態を示す断面図である。
【図１４】図１４は、アームのさらに他の状態を示す断面図である。
【図１５】図１５は、パネルの実施の他の形態を示す断面図である。
【図１６】図１６は、公知の艦船用格納庫の実施の形態を示す断面図である。
【図１７】図１７は、シャッターを示す断面図である。
【符号の説明】
１　：扉
２−１〜２−ｎ：パネル
３　：扉収納装置
４　：ヒンジ
５　：駆動チェーン
６　：滑車
７　：ガイドレール
８　：駆動源
１０：平面
１１：ガイドローラ
１２：ガイドローラ
１３：吊り下げブラケット
１４：球面軸受け
１５：天井
１６：屋根
【図１】
2004026091.tif 000003
【図２】
2004026091.tif 000004
【図３】
2004026091.tif 000005
【図４】
2004026091.tif 000006
【図５】
2004026091.tif 000007
【図６】
2004026091.tif 000008
【図７】
2004026091.tif 000009
【図８】
2004026091.tif 000010
【図９】
2004026091.tif 000011
【図１０】
2004026091.tif 000012
【図１１】
2004026091.tif 000013
【図１２】
2004026091.tif 000014
【図１３】
2004026091.tif 000015
【図１４】
2004026091.tif 000016
【図１５】
2004026091.tif 000017
【図１６】
2004026091.tif 000018
【図１７】
2004026091.tif 000019